(57)【特許請求の範囲】
【請求項１】
上部が開口した平面視多角形の外容器と、この外容器に回転可能に収納された内容器とを備え、
前記外容器の側壁にはスリットが形成され、
前記内容器には外向きに突出した係止片が形成され、
飲用時には、前記内容器を回転させて係止片を前記スリットに係止することにより前記内容器を外容器に固定できるようにした、
包装用容器。
【請求項２】
スリットは、外容器の対向する一対の側壁に形成された、請求項１記載の包装用容器。
【請求項３】
外容器の一又は複数の側壁上縁に抉り部が形成された、請求項１又は２記載の包装用容器。
【請求項４】
係止片は、内容器の周壁上端縁にフランジとして形成された、請求項１ないし３の何れかに記載の包装用容器。
【発明の詳細な説明】
【技術分野】
【０００１】
この発明は、酒などの飲料その他の飲食物を包装するための容器であって、飲用にも適した包装用容器に関するものである。
【背景技術】
【０００２】
従来より、カップ酒や缶入り飲料のように、容器の縁に直接口を付けて飲用に供される飲料用包装容器は、円筒形状のものが一般的である。円筒形状であれば、周壁に角がないので持ちやすい上、容器の縁に口を付けて飲む際に飲料の流れが口元方向に規制され、飲みやすいからである。
他方、紙パック飲料のような直方体形状の飲料用包装容器も存在するものの、このような包装容器を用いて包装された飲料を飲む場合、付属のストローを包装容器のストロー差込口に突き刺して飲用に使用するのが通常であり、包装容器に直接口を付けて飲料を飲むことはない。
【０００３】
直方体形状をした飲料用包装容器であって、飲用時に直接容器に口を付けて包装された飲料を飲むことができる容器として、例えば、特開２００１−２４７１６３号公報に記載された発明がある。
この発明は、上部が開口した升状の外容器に、上蓋で開封可能に封止された内容器が収納された乾杯用容器である。
この発明によれば、内容器は上蓋で封止された状態で外容器に収納されるので、飲料用包装容器として使用することができるとともに、飲用時には、外容器に内容器を収納したまま内容器の上蓋を開封し、外容器の飲み口に口を付けて飲料を飲むことができる。
【特許文献１】特開２００１−２４７１６３号公報
【０００４】
しかしながら、この発明は古来からある升に内容器を装着することによって包装用容器としても使用できるようにしたものにすぎず、内容器は外容器の内周に接する大きさであって安定した状態で装着されており、その結果、容量の大小がそのまま外容器の大きさに反映され、小容量としながら外容器を大きくすることはできない。また、飲み口は升を模した外容器の隅角部分である。
【発明の開示】
【発明が解決しようとする課題】
【０００５】
この発明は、外容器に内容器を収納して内容器に内容物を包装するようにした包装用容器において、内容器の容量を少なくしつつも外容器を大きくし、かつ、飲食時には内容器が外容器内で安定しこぼさずに飲食することができる、特に飲料用に適した包装用容器を得ることを課題とするものである。
【課題を解決するための手段】
【０００６】
この発明の包装用容器は、上部が開口した平面視多角形の外容器と、この外容器に回転可能に収納された内容器とを備え、前記外容器の側壁にはスリットを形成し、前記内容器には外向きの係止片を形成し、飲用時には、前記内容器を回転させて係止片を前記スリットに係止することにより前記内容器を外容器に固定できるようにして構成する。
【０００７】
外容器を平面視多角形とするのは、内容器を回転させて係止片をスリットに係止させるためである。
スリットは、内容器に形成された係止片を係止させることができる切れ目であればよく、その形状は問わない。このスリットは、少なくとも外容器の一の側壁に一つ形成されていればよいが、対向する一対の側壁に形成するなど、複数の側壁に形成すると安定性が増す。
【０００８】
外容器の一又は複数の側壁上縁に抉り部を形成すると飲みやすくなる。この抉り部は、側壁上縁の中央部付近が側壁上縁の水平ラインよりも低くなるように形成してあればよく、その形状は問わない。
【０００９】
係止片は、内容器の外側に形成される板状の片であって前記スリットに係止可能なものであればよいが、内容器の周壁上端縁にフランジとして形成すると、製造が容易であり、かつ係止させやすい。
【００１０】
内容器は、外容器内に収納可能であればその形状は問わない。また、内容器は、飲料を充填することができる素材で構成されていればよい。
【発明の効果】
【００１１】
この発明によれば、上部が開口した平面視多角形の外容器と、この外容器に回転可能に収納された内容器とを備え、前記外容器の側壁にスリットを形成するとともに前記内容器には外向きに突出した係止片を形成し、飲用時には内容器を回転させて係止片を外容器のスリットに係止して内容器を外容器に固定できるものとしたので、内容器の容量を少なくしながら外容器を大きくし、かつ、飲用時等に内容器を外容器内に固定することができ安定するので、こぼさずに飲料を飲むなど内湯物を飲食することができる。
また、飲用時には外容器の隅角部ではなく側壁側から飲むことができるので、飲みやすい。
【００１２】
請求項２の発明によれば、外容器の対向する一対の側壁にスリットを形成してあるので、この一対のスリットに係止片を係止させることによって内容器をバランスよく外容器内に固定することができる。
【００１３】
請求項３の発明によれば、外容器の一又は複数の側壁上縁に抉り部を形成したので、この抉り部によって内容器の飲み口が外容器から露出され、直接飲み口に口を当てることができる。特に、抉り部を対向する二つの側壁上縁に形成した場合には、内容器を回転させて係止片をスリットに係止させる際、この抉り部から外容器内に収納された内容器を持つことができ、係止操作を容易に行うことができる。
【００１４】
請求項４の発明によれば、係止片は、内容器の周壁上端縁にフランジとして形成したので、内容器にフィルムなどで蓋をする際のヒートシール部としてのフランジを係止片として利用することができる。
【発明を実施するための最良の形態】
【００１５】
図１は、この発明の包装用容器の概要を示す分解図である。この発明の包装用容器は、上部が開口した略方形の外容器Ａと、この外容器Ａに収納可能な略方形の内容器Ｂとを備える。
【００１６】
外容器Ａは、やや厚手の紙で構成され、底部１及び側壁２，３，４，５を備える。対向する側壁２，４の上縁２１，４１には、それぞれ上縁２１，４１を折り目として折り曲げ可能なフラップ２２，４２が連設され、上縁２１，４１の中央にはスリット２３，４３が形成されている。また、もう一方の対向する側壁３，４の上縁３１，５１にはそれぞれ凹弧状の抉り部３２，５２が形成されている。
なお、外容器Ａは折り畳み可能な箱体として構成することもできる。
【００１７】
内容器Ｂは、飲料が充填される容器であって、ポリエチレン、ＰＥＴ等の合成樹脂で構成され、外容器Ａ内に回転可能に収納される大きさの略方形に形成されている。内容器Ｂの隅部にはＲを形成し、飲みやすい形状としてある。周壁上端縁の外側にはフランジ７がその全周に亘って形成されている。
前記隅部のＲは、内容器を回転させた際に外容器の側壁内面に無理なく摺接してなめらかに回転させるという効果も有するものであり、併せて内容器を無理なく回転させるために、前記外容器のスリットは、引用時に係止する部分の左右に余裕を持って形成してある。
このフランジ７の外周は、外容器Ａ内に収納されるよう外容器Ａの内周よりもやや小さく形成されているものの、外容器Ａの内周とほぼ同じ形状、大きさに形成し、運搬時の安定性を高めてある。前記フランジ７の隅部が係止片７１となる。
また、フランジ７の上面には、フィルムからなる蓋８がヒートシールされ、これにより内容器Ｂの開口部６が開封可能に密封されている。
また、蓋８の隅部には蓋開封用の開封片８１が設けられている。
【００１８】
図２は、外容器Ａに内容器Ｂを収納した状態を示す図である。
内容器Ｂの収納時において、外容器Ａのフラップ２２，４２はそれぞれ内側に折り曲げられ、内容器Ｂは外容器Ａ内にすっぽり収納される。
【００１９】
図３は、この発明の包装用容器の内容器Ｂを回転させて外容器Ａに固定させた状態を示す図である。この状態にする手順を以下に説明する。
図２の状態の包装用容器において、外容器Ａの側壁３，５に形成された凹弧状の抉り部３２，５２から内容器Ｂのフランジ７を持ち、そのまま蓋８の開封片８１が外容器Ａの抉り部３２，５２の何れか側に位置するように、内容器Ｂを外容器Ａの中で水平方向に回転させる。このとき、外容器Ａの内周とほぼ同じ大きさに形成された内容器Ｂのフランジ７の隅部である係止片７１，７１がスリット２３，４３に挿入されて外容器Ａの側壁３，５の外側へ突出してスリットに係止し、外容器Ａと内容器Ｂとが固定される。
この状態で、蓋８の開封片８１を持って蓋８をはがし、内容器Ｂを開封すると、外容器Ａの側壁３側に飲み口９が得られる（図４）。
【００２０】
以上のように、内容器の容量を小さくしながら外容器を大きくし、かつ、飲用時には内容器を外容器内に安定して固定させることができ、飲料を飲む際に内容器が外容器から外れてしまうようなことがない。
また、飲み口９は外容器Ａの側壁側に得られ、しかも、Ｒを形成した内容器Ｂの隅部で構成されているから、飲料の流れが飲み口方向に規制され、飲用時に口元の脇からこぼれてしまうこともない。
そして、飲み口９近傍の外容器Ａの側壁上側部には抉り部３２が設けられているので、飲み口９に口を付ける際に側壁３が邪魔にならず、直接飲み口に口を付けて飲むことができる。
【００２１】
この包装用容器に飲料を包装して流通過程に置く場合、図５に示すように、内容器Ｂを収納した外容器Ａの上部、側壁３，５、底面を覆うようにスリーブＣを巻き付けることもできる。スリーブＣは合成樹脂フィルムや厚紙などのシート状素材で構成し、開封しやすいように切り取り線を設けておいてもよい。
このようにスリーブＣによって、外容器Ａ上部の開口部、側壁３，５の抉り部３２，５２を覆い隠すことができ、外容器Ａ内への異物混入を防止することができると共に、包装パッケージとして優れた美感を得ることができる。
また、外容器やスリーブに種々の図柄や商標、商品説明などを表示することができる。そして、外容器は内容器よりも大きくすることができるので、広い表示スペースを得ることができ、かつ商品のボリュームを増大させ得ることができるので売り場で目立たせることができる。
【００２２】
図６は内容器Ｂの本体形状を略円筒形とした実施例（実施例２）であり、内容器Ｂの本体形状を外容器Ａ内に収納される大きさの略円筒形に形成した点以外は、フランジ７の外周形状も含めて上記実施例（実施例１）と同じ構成である。
【００２３】
図７は外容器Ａを平面視六角形とし、内容器Ｂをこの外容器Ａ内に収納される大きさの略六角形に形成した実施例（実施例３）であり、外容器Ａの一つおきの側壁の上縁にそれぞれ折り曲げ可能なフラップを連設してスリットを形成し、スリットが形成されてない側壁の上側縁にそれぞれ凹弧状の抉り部を形成した点以外は、上記実施例（実施例１）と同じ構成である。
【産業上の利用可能性】
【００２４】
この発明は、酒などの飲料その他の飲食物を包装するための容器であって、飲用にも適した包装用容器に関するものであり、産業上の利用可能性を有するものである。
【図面の簡単な説明】
【００２５】
【図１】この発明の第１の実施例において外容器Ａと外容器Ｂを分離した状態を示す図
【図２】同じく外容器Ａに内容器Ｂを収納した状態を示す図
【図３】同じく内容器Ｂを回転させた状態を示す図
【図４】同じく蓋８を開封した状態を示す図
【図５】同じくスリーブＣを巻き付けた状態を示す図（内容器Ｂは省略）
【図６】この発明の第２の実施例において内容器Ｂを回転させた状態を示す図
【図７】この発明の第３の実施例において内容器Ｂを回転させた状態を示す図
【符号の説明】
【００２６】
Ａ  外容器
Ｂ  内容器
Ｃ  スリーブ
１  底面
２，３，４，５  側壁
２１，３１，４１，５１  上側縁
２２，４２  フラップ
２３，４３  スリット
３２，５２  抉り部
６  開口部
７  フランジ
７１  係止片
８  蓋
８１  開封片
９  飲み口
【図１】
0005539847.tif 000002
【図２】
0005539847.tif 000003
【図３】
0005539847.tif 000004
【図４】
0005539847.tif 000005
【図５】
0005539847.tif 000006
【図６】
0005539847.tif 000007
【図７】
0005539847.tif 000008